(57)【要約】  自己格納型救命索が、交換可能な救命索を有しており、ハウジング、ハウジングに回転可能に結合されたドラム、救命索、及びドラムに動作可能に結合され非固定位置から固定位置に移動可能な固定部材であって、ハウジングに対してドラムを固定して救命索の交換を補助するための固定部材を具える。【選択図】図３
2013508019.tif 000002
【特許請求の範囲】
【請求項１】
自己格納型救命索であって：
ハウジングと；
前記ハウジングに回転可能に動作するよう結合されたドラムと；
前記ドラムに動作するよう結合された第１の端部、前記ドラムの周りに巻き付け可能な中間部、及び第２の端部を有する救命索と；
前記ドラムに動作するよう結合され、非固定位置から固定位置に移動して、前記ハウジングに対して前記ドラムを固定させ、前記救命索の交換を補助する固定部材と；
を具えることを特徴とする自己格納型救命索。
【請求項２】
前記ハウジングが、受容穴を具えた受容部を有し、
前記受容穴が、前記固定部材が前記固定位置にあるときに前記固定部材を受容するよう構成且つ配置されていることを特徴とする請求項１に記載の自己格納型救命索。
【請求項３】
前記ハウジングが、前記固定部材へのアクセスを与える穴を有することを特徴とする請求項１に記載の自己格納型救命索。
【請求項４】
前記ハウジング及び前記ドラムが、前記救命索の交換の際に前記救命索が通される通路を有することを特徴とする請求項１に記載の自己格納型救命索。
【請求項５】
前記ハウジングが、上部穴及び下部開口を有しており、
前記ドラムが、前記救命索の交換の間に前記救命索が通される通路を有することを特徴とする請求項１に記載の自己格納型救命索。
【請求項６】
前記固定部材が、位置決めネジであることを特徴とする請求項１に記載の自己格納型救命索。
【請求項７】
さらに、前記ドラムの通路の中の肩部と；
前記第１の端部に動作するよう結合されたコネクタであって、前記通路の中に受容され、前記肩部と前記固定部材との間及び前記ドラムと前記ハウジングとの間で挟持されるよう構成且つ配置されたコネクタと；
を具えており、
前記固定位置に前記固定部材を移動させることで、前記固定部材が前記コネクタから離れるよう移動して、前記コネクタが前記通路を通って滑動し得ることを特徴とする請求項１に記載の自己格納型救命索。
【請求項８】
前記ハウジングが、前記救命索の交換の際に前記救命索が通される上部穴及び下部開口を有することを特徴とする請求項７に記載の自己格納型救命索。
【請求項９】
前記コネクタの少なくとも一部が、前記救命索の交換のために取り外し可能であることを特徴とする請求項７に記載の自己格納型救命索。
【請求項１０】
自己格納型救命索であって、
ハウジングと；
前記ハウジングに回転可能に動作するよう結合されたドラム、及び前記ドラムの通路の中の肩部と；
前記ドラムに動作するよう結合された第１の端部、前記ドラムの周りに巻き付け可能な中間部、及び第２の端部を有する救命索と；
前記ドラムに動作するよう結合され、非固定位置から固定位置に移動可能であり、前記ハウジングに対して前記ドラムを固定させ、前記救命索の交換を補助する固定部材と；
前記第１の端部に動作するよう結合されたコネクタであって、前記通路の中に受容され、前記肩部と前記固定部材との間及び前記ドラムと前記ハウジングとの間で挟持されるよう構成且つ配置されたコネクタと；
を具えており、
前記固定位置に前記固定部材を移動させることで、前記固定部材が前記コネクタから離れるよう移動して、前記コネクタが前記通路を通って滑動し得ることを特徴とする自己格納型救命索。
【請求項１１】
前記ハウジングが、受容穴を具えた受容部を有し、
前記受容穴が、前記固定部材が前記固定位置にあるときに前記固定部材を受容するよう構成且つ配置されていることを特徴とする請求項１０に記載の自己格納型救命索。
【請求項１２】
前記ハウジングが、前記固定部材へのアクセスを与える穴を有することを特徴とする請求項１０に記載の自己格納型救命索。
【請求項１３】
前記ハウジング及び前記ドラムが、前記救命索の交換の際に前記救命索が通される通路を有することを特徴とする請求項１０に記載の自己格納型救命索。
【請求項１４】
前記ハウジングが、上部穴及び下部開口を有しており、
前記ドラムが、前記救命索の交換の際に前記救命索が通される通路を有することを特徴とする請求項１０に記載の自己格納型救命索。
【請求項１５】
前記固定部材が、位置決めネジであることを特徴とする請求項１０に記載の自己格納型救命索。
【請求項１６】
前記ハウジングが、前記救命索の交換の際に前記救命索が通される上部穴及び下部開口を有することを特徴とする請求項１０に記載の自己格納型救命索。
【請求項１７】
前記コネクタの少なくとも一部が、前記救命索の交換のために取り外し可能であることを特徴とする請求項１０に記載の自己格納型救命索。
【請求項１８】
ハウジング、前記ハウジングに回転可能に動作するよう結合されたドラム、前記ドラムに動作するよう結合された救命索の第１の端部、前記ドラムの周りに巻き付け可能な前記救命索の中間部、及び前記ドラムに動作するよう結合され、非固定位置から固定位置に移動可能であり、前記ハウジングに対して前記ドラムを固定して、前記救命索の交換を補助する固定部材、を有する自己格納型救命索の救命索を交換する方法であって、
前記ドラムから実質的に総ての前記救命索を繰り出すステップと；
前記非固定位置から前記固定位置に前記固定部材を移動させることで、前記ハウジングに対して前記ドラムを固定するステップと；
前記ドラムから前記救命索の前記第１の端部を外すステップと；
交換用の第１の端部及び交換用の中間部を有する交換用の救命索を取得するステップと；
前記ドラムに前記交換用の第１の端部を結合するステップと；
前記固定位置から前記非固定位置に前記固定部材を移動させることで、前記ハウジングに対して前記ドラムを解放させるステップと；
前記ドラムの周りに前記交換用の中間部を巻き付けるステップと；
を具えることを特徴とする方法。
【請求項１９】
さらに、前記救命索のほぼ総てが前記ドラムから繰り出された後に、前記ハウジングの第１の開口部及び前記ドラムの第２の開口部を通して器具を挿入して前記ドラムを固定するステップを具えることを特徴とする請求項１８に記載の方法。
【請求項２０】
前記ハウジングが、上部穴及び下部開口を有しており、
前記ドラムが通路を有しており、
前記第１の端部にコネクタが動作するよう結合されており、さらに、
前記通路及び前記ハウジングの前記上部穴を通して前記救命索の前記第１の端部を通すステップと；
前記第１の端部から前記コネクタの少なくとも一部を外すステップと；
前記上部穴、前記通路、及び前記下部開口を通して、前記第１の端部を通すステップと；
を具えることを特徴とする請求項１８に記載の方法。
【請求項２１】
前記ハウジングが、前記固定部材へのアクセスを与える穴を有しており、
さらに、前記穴を通して器具を挿入し、前記固定部材を移動させるステップを具えることを特徴とする請求項１８に記載の方法。
【発明の詳細な説明】
【技術分野】
【０００１】
本発明は、取り外し可能な救命索を具えた自己格納型救命索に関する。
【背景技術】
【０００２】
様々な仕事が、作業者を比較的危険な高さの不安定な場所に置くため、転倒防止、転倒保護、及び救助器具の必要性が生じる。特に、このような器具は、通常、支持構造と支持構造の近くで作業する作業者との間で相互結合された救命索を有する。救命索は、一般に、使用者が装着する全身用の安全ベルトに固定される。
【０００３】
自己格納型救命索は、一般に、落下を生じる可能性のある危険を伴う作業を実施する作業者によって使用される。自己格納型救命索は、一般に、ケーブル、ロープ、又はウェビングといった救命索が巻かれるドラムを収容するハウジングを有する。ドラムは、バネで付勢されて、救命索を引く張力が加わったときに救命索を繰り出し、救命索にかかる張力が減少又は解放されると、ドラムから繰り出される救命索を格納する。また、ハウジングは、救命索が所定の最大角速度よりも大きな速さでドラムから突然繰り出されたときに、ドラムの回転を止めるためのブレーキアッセンブリを有する。
【０００４】
自己格納型救命索は、一般に、作業者が作業を実施する近くの支持構造に結合され、救命索の端部は、一般に、作業者が装着する安全ベルトに結合される。救命索は、作業者が器具から離れると、自己格納型救命索のハウジングから容易に引き出され、作業者が器具に近づくと救命索はハウジングの中に自動的に引き戻される。落下が生じると、器具の中にブレーキアッセンブリが、ドラムの回転を緩やかに且つ迅速に止めることによって、作業者の落下を緩やかに且つ迅速に止める遠心クラッチアッセンブリによって自動的に係合する。ドラムの回転が止まると、救命索がさらにハウジングから繰り出されるのが防止され、作業者の落下を止める。
【０００５】
また、自己格納型救命索は、回復アッセンブリを有しており、落下が生じた場合に自己格納型救命索の救命索を格納且つ繰り出し、安全な場所に作業者を上下させる。
【０００６】
使用を通して、救命索が摩耗する可能性があり、自己格納型救命索の完全性に障害が発生する可能性があるため、安全性を最適化するために救命索の交換を余儀なくされる。いくつかの自己格納型救命索は、救命索を交換するために器具全体をが修理に出される一方、救命索を作業者によって交換できるように、いくつかの自己格納型救命索は「野外で交換可能」であることを要する。
【０００７】
本明細書を読んで理解することで当業者に明らかな上述の理由により、及び以下に記す他の理由により、当技術分野で取り外し可能な救命索を具えた自己格納型救命索が必要となる。
【発明の概要】
【０００８】
従来の器具に関する上述の問題は、本発明の実施例によって扱われ、本明細書を読み且つ理解することによって理解されよう。以下の概要は、例として示されているものであり、限定するものではない。それは、単に、本発明のいくつかの態様を理解する際に読者を補助するために与えられる。
【０００９】
一実施例では、自己格納型救命索が、ハウジング、ドラム、救命索、及び固定部材を有する。ドラムは、ハウジングに回転可能に動作するよう結合される。救命索は、ドラムに動作するよう結合された第１の端部、ドラムの周りに巻き付け可能な中間部、及び第２の端部を有する。固定部材は、ドラムに動作するよう結合され、非固定位置から固定位置に移動可能であり、ハウジングに対してドラムを固定して救命索の交換を補助する。
【００１０】
一実施例では、自己格納型救命索が、ハウジング、ドラム、救命索、固定部材、及びコネクタを有する。ドラムは、ハウジングに回転可能に動作するよう結合され、ドラムの通路の中に肩部を有する。救命索は、ドラムに動作するよう結合された第１の端部、ドラムの周りに巻き付け可能な中間部、及び第２の端部を有する。固定部材が、ドラムに動作するよう結合されており、非固定位置から固定位置に移動可能であり、ハウジングに対してドラムを固定して救命索の交換を補助する。コネクタが、第１の端部に動作するよう結合されている。コネクタは、通路の中に受容され、肩部と固定部材との間及びドラムとハウジングとの間で挟持されるよう構成且つ配置されており、固定位置に固定部材を移動させることで固定部材がコネクタから離れ、コネクタが通路を通って滑動できる。
【００１１】
一実施例では、ハウジング、ハウジングに回転可能に動作するよう結合されたドラム、ドラムに動作するよう結合された救命索の第１の端部、ドラムの周りに巻き付け可能な救命索の中間部、ドラムに動作するよう結合され、非固定位置から固定位置に移動可能であり、ハウジングに対してドラムを固定して、救命索の交換を補助する固定部材を有する自己格納型救命索を交換する方法が、ドラムから実質的に全ての救命索を繰り出すステップと、非固定位置から固定位置に固定部材を移動させることで、ハウジングに対してドラムを固定するステップと、ドラムから救命索の第１の端部を外すステップと、交換用の第１の端部及び交換用の中間部を有する交換用の救命索を取得するステップと、ドラムに交換用の第１の端部を結合するステップと、固定位置から非固定位置に固定部材を移動させることで、ハウジングに対してドラムを解放させるステップと、ドラムの周りに交換用の中間部を巻き付けるステップと、を具える。
【図面の簡単な説明】
【００１２】
詳細な説明及び以下の図面を考慮すると、本発明をより簡単に理解でき、さらに、その利点及び使用法がより簡単に明らかとなる。
【００１３】
【図１】図１は、本発明の原理にしたがって構成された自己格納型救命索の斜視図である。
【図２】図２は、カバーを外した状態の図１に示す自己格納型救命索の斜視図である。
【図３】図３は、一部を取り外して救命索の端部及び固定位置の締結具を示す図１に示す自己格納型救命索の斜視図である。
【図４】図４は、固定位置の締結具を示す図１に示す自己格納型救命索の部分断面図である。
【図５】図５は、一部を取り外して救命索の端部及び非固定位置の締結具を示す図１に示す自己格納型救命索の部分断面図である。
【図６】図６は、非固定位置の締結具を示す図１に示す自己格納型救命索の部分断面図である。
【図７】図７は、上部を通って延びる救命索を示す図１に示す自己格納型救命索の斜視図である。
【図８】図８は、留め部材を外した状態の上部を通って延びる救命索を示す図１に示す自己格納型救命索の斜視図である。
【図９】図９は、図１に示す自己格納型救命索の下部の斜視図である。
【図１０】図１０は、緩衝部を示す図９に示す自己格納型救命索の部分的に分解した下部の斜視図である。
【図１１】図１１は、図１０に示す緩衝部の分解断面図である。
【図１２】図１２は、下方位置に組み立てられた図１０に示す緩衝部の側面図である。
【図１３】図１３は、９０度回転した図１２に示す緩衝部の断面図である。
【図１４】図１４は、下方位置に組み立てられた図１０に示す緩衝部の側面図である。
【図１５】図１５は、９０度回転した図１４に示す緩衝部の断面図である。
【図１６】図１６は、組み立ての際の図１０に示す緩衝部の断面図である。
【図１７】図１７は、ハウジング及び緩衝部の結合を示す自己格納型救命索の部分断面図である。
【図１８】図１８は、図１に示す自己格納型救命索とともに使用するための救命索の斜視図である。
【図１９】図１９は、図１に示す自己格納型救命索の第１の側面図である。
【図２０】図２０は、カバーをハウジングから外した状態の図１９に示す自己格納型救命索の側面図である。
【図２１】図２１は、器具をハウジングから外した状態の図１９に示す自己格納型救命索の側面図である。
【図２２】図２２は、器具をハウジングの中に挿入した状態の図２１に示す自己格納型救命索の側面図である。
【図２３】図２３は、ハウジングの第１の側面を外した状態の図１９に示す自己格納型救命索の斜視図である。
【００１４】
一般的な方法にしたがって、説明される様々な態様は当尺で図示しないが、本発明に関する特定の態様を強調するよう図示する。図面及び文章を通して、符号は類似する構成要素を示す。
【発明を実施するための形態】
【００１５】
以下の実施例の詳細な説明において、本書の一部をなす添付図面を参照し、本発明を実施する具体的な実施例を目的として示す。これらの実施例は、当業者が本発明を実施できるよう十分詳しく説明されており、本発明の精神及び範囲を逸脱することなく、他の実施例を使用し機械的な変更を行い得ることに留意されたい。このため以下の詳細な説明は、限定の意味として解すべきではなく、本発明の範囲は添付のクレーム及びそれに相当するものによってのみ規定される。
【００１６】
本発明の原理にしたがって構成された自己格納型救命索の一実施例を、図面の符号１００で示す。自己格納型救命索１００は、上部１０２、下部１０３、第１の側面１０４、第２の側面１０５を有するハウジング１０１を有する。ハウジング１０１は、第１のハウジング部１０６及び第２のハウジング部１０７を具えており、嵌合してそれらの間に自己格納型救命索の他の部品が収容される空洞１１５を形成する。第２の収容部１０７は、上部穴１０８、側面穴１１０、及び下部開口１１２を有する。上部カバー部１０９は、上部穴１０８をカバーするよう構成且つ配置され、側面カバー部１１１は、側面穴１１０をカバーするよう構成且つ配置される。
【００１７】
自己格納型救命索１００は、Ｄ  Ｂ  Ｉｎｄｕｓｔｒｉｅｓ，Ｉｎｃ．ｄ．ｂ．ａ．Ｃａｐｉｔａｌ  Ｓａｆｅｔｙ  ＵＳＡ  ｏｆ  Ｒｅｄ  Ｗｉｎｇ，Ｍｉｎｎｅｓｏｔａによって製造されたＵＬＴＲＡ−ＬＯＫ  ＲＳＱ自己格納型救命索  部品番号  ３５０４５５０に類似するが、本発明の実施例を適切な自己格納型救命索又は安全器具とともに使用できることが分かっている。
【００１８】
ドラム１１８が、当技術分野で周知の空洞１１５の中でハウジング１０１に回転可能に結合されている。ドラム１１８は、救命索１３０が巻かれるベース１１９とベース１１９の両側から外側に延びてベース１１９に救命索を保持するフランジ１２０及び１２１を有する。ベース１１９は、長手方向を通して延びるネジ付きの穴を具えた円筒形であって、位置決めネジ１２５又は他の適切な固定部材を受容するよう構成且つ配置された受容部１１６を有する。受容部１１６のネジ付き穴は、位置決めネジ１２５のネジに整合する。位置決めネジ１２５は、六角レンチ又は類似する器具を受容するための六角形の器具受容部１２６を有する。器具受容部１２６は、適切な器具を受容するよう構成且つ配置されている。ドラム１１８が選択位置にある場合に、ドラム１１８の受容部１１６がハウジングの受容穴１１７と整合する。受容穴１１７は、ドラム区画と密閉区画とを分ける内壁に設けられている。ドラム１１８及びハウジング１０１は、選択位置に有り救命索１３０がドラム１１８から繰り出されたときに、救命索１３０を通すことができる通路１２２を形成する。ドラム１１８の通路部は六角形であり、通路部の中に延びる肩部１２３を有する。
【００１９】
救命索１３０は、コネクタ１３２が当技術分野で周知の手段によって動作可能に結合される第１の端部１３１を有する。コネクタ１３２から上方に延びているのは、六角形のナットで示す留め部材１３４がネジ込まれるネジ付き端部１３３である。留め部材１３４は、ナイロンリング（図示せず）を有しており、ネジ付き端部１３３に留め部材１３４を締結且つ係合し易くする。コネクタ１３２は、図示しないが六角形であり、それに留め部材１３４を締結し易くし、ドラム１１８の通路部が対応する形状を有しており、コネクタ１３２及び留め部材１３４の回転の阻止を補助し、留め部材１３４が緩んでしまう危険性を減らす。
【００２０】
使用のために組み立てられると、図３及び４に示すように、ドラム１１８の肩部１２３がコネクタ１３２の近位の留め部材１３４の下部を支持するよう構成且つ配置される。位置決めネジ１２５は、それがネジ付き端部１３３の上部の近位のドラム１１８の通路部の中に延びるように配置される。このため、救命索１３０の第１の端部１３１に動作可能に結合された留め部材１３４は、肩部１２３と位置決めネジ１２５との間及びベース１１９とドラム１１８の第２のフランジ１２１との間で挟持される。このような構成により、救命索１３０の第１の端部１３１がドラム１１８から外れるのが防止される。救命索１３０の中間部１３５はベース１１９の周りに巻かれ、ベース１１９から繰り出される。また、救命索１３０は、救命索１３０を当技術分野で周知の安全ハーネス（図示せず）に結合するためのスナップフック１６６が結合される第２の端部１３６を有する。
【００２１】
緩衝部１４０が、下部開口１１２の近位のハウジング１０１に動作可能に結合されている。緩衝部１４０は、外側部１４１及び内側部１５１を有する。外側部１４１は、ハウジング１０１に動作可能に結合されており、内側部１５１が外側部１４１に動作可能に結合されている。
【００２２】
外側部１４１は、それを通して長手方向に延びる穴１４２及び穴１４２を通して内面にアクセスし得る長手方向の長穴１４３を有する。長穴１４３は、図１１に示すように、下部から外側部１４１の中間部の近くに延びている。外側部１４１の内面の横方向のデテントのような受容部１４４は、長穴１４３の上部及び外側部１４１の上部の近くにある。受容部１４４の近くを長手方向に延びる開口部１４８は、長穴１４３の側の外側部１４１の近くにある。肩部１４５が、外側部１４１の中間の近くの受容部１４４の下方にあり、そこで穴１４２が外側部１４１の下部に拡がっている。このため、穴１４２の上部は、穴１４２の下部よりも小さい。外側部１４１の中間の近くで、外面が横方向の切欠き部１４７を有する。切欠き部１４７は、図１７に示すように、ハウジング１０１の部分を受容するよう構成且つ配置されている。
【００２３】
内部１５１が、上部の近くで小さく下部の近くで大きいそれを通して長手方向に延びる穴１５２を有しており、広い側の部分が、スナップホック１６６が結合される救命索１３０の第２の端部１３６の近くで救命索の緩衝部１６５の一部を受容するよう構成且つ配置された救命索の緩衝容器１５３を形成する。内部１５１の下部の近くで、他の面が、肩部１５６を有しており、ピン１６０が動作可能に結合され、上部の近くの内部１５１の側面から外側に延びている。バネ１５７が、肩部１５６とピン１６０との間に配置されている。
【００２４】
内部１５１を外部１４１に結合するために、図１１に示すようにピン１６０を長穴１４３に揃える。そして、図１６に示すように、ピン１６０が容器部１４４の近くにくるまで、内部１５１を外部１４１の中に挿入する。そして、ピン１６０が開口部１４８の近くにくるまで、内部１５１を約１８０度回転させる。ピン１６０は、内部１５１を外部１４１に結合する。バネ１５７が、内部１５１の肩部１５６と外部１４１の肩部１４５との間に配置されており、外部１４１がハウジング１０１に対して固定されているため、バネ１５７が内部１５１に下方力を加えることで、図１２及び１３に示すように、下方位置１６１に内部１５１及びピン１６０を位置決めする。救命索をハウジング及び救命索緩衝部１６５の中に格納するときのように、内部１５１に上方力が加わる場合、バネ１５７の力が打ち勝ち、図１４及び１５に示すように、内部１５１及びピン１６０が上方位置１６２に位置決めされる。そして、バネ１５７が下方位置１６１に戻るよう内部１５１を付勢する。これにより、衝撃のエネルギのいくらかを吸収し、救命索へのダメージを減らすためのクッションが与えられる。外部１４１から内部１５１を外すのに２つの動作、すなわち、内部１５１を上方に押して内部を回転させることを必要とするため、内部１５１は外部１４１から偶然に外れそうにない。
【００２５】
さらなる留め部材１３７が、第１の端部１３１から約２乃至４フィートの救命索１３０の中間部１３５に動作可能に連結されており、救命索の反転位置を与える。図１８に示すように、留め部材１３７は、救命索１３０に加締められた円筒部材であり、ドラムに巻かれ、ドラムに巻かれた他の救命索の部分と干渉しないように、直径約０．５インチと十分に小さい。留め部材１３７は、穴１５２の上部よりも大きく、内部１５１を通り抜けることができない。救命索の大部分がドラムから繰り出されるときに落下が起きる場合、反転部を使用して安全のために転倒防止を確実にする。留め部材１３７の力が、内部１５１の上部の近くで圧力を加える場合、この力はピン１６０を壊し、外部１４１から内部１５１を外すことで、内部１５１は留め部材がハウジング１０１の外に引き出されるのをこれ以上防止しないため、救命索が反転してドラムの外に繰り出し得る。好適には、ピン１６０を壊すのに少なくとも４５０ポンドの力を必要とする。
【００２６】
救命索１３０がダメージを受ける場合、野外で救命索１３０を容易に交換できる。救命索１３０を交換するために、図２に示すように、ハウジングの空洞１１５にアクセスし得るよう上部カバー部１０９及び側面カバー部１１１を外す。救命索１３０がハウジング１０１から繰り出され、図３及び４に示すように、ドラム１１８に巻かれることなく救命索１３０が実質的に繰り出されて真っ直ぐとなり、位置決めネジ受容部１１６の穴がハウジング１０１の受容穴１１７に揃う。
【００２７】
救命索の交換処理の際にドラム１１８が回転するのを防止するのを補助するために、六角レンチといった器具１２８を、第１のハウジング部１０６の穴１１３を通して挿入しドラム１１８の第１のフランジ１２０の開口部１２０ａに入れる。これを図１９−２３に示す。図２０に示すように、カバー１１４がまず穴１１３から外され、穴１１３にアクセスできるようになる。１つの開口部１２０ａのみを図２３に示すが、複数の開口部１２０ａを含めて、救命索１３０がドラム１１８の外に実質的に繰り出されるのを確実にすることができる。器具１２８により、ユーザが、ドラムが回転するのを防止するように救命索にしがみつくことなしに、救命索交換処理の残りのステップを実行できる。
【００２８】
六角レンチといった別の器具（図示せず）を側面穴１１０を通して位置決めネジ１２５の器具受容部１２６の中に挿入する。そして、器具を回転させて、ハウジング１０１の受容穴１１７の中に位置決めネジ１２５を移動させ、ドラム１１８をロックすることで、ドラム１１８が回転するのが防止される。図５及び６に示すように、位置決めネジ１２５は、ドラム１１８の通路の中に延びていないことで、救命索１３０の第１の端部１３１が上方向に移動してしまうのを防止しない。
【００２９】
ドラム１１８がロックされた後、位置決めネジ１２５が救命索１３０の移動を妨げない状態で、救命索１３０がハウジング１０１の下部の近くから上方に押され、図７に示すように、第１の端部１３１が通路１２２及び上部穴１０８を通される。そして、図８に示すように、留め部材１３４がネジ付き端部１３３から外される。そして、救命索１３０が、第１の端部１３１が上部穴１０８を通るように下方に引かれ、通路１２２、下部開口１１２、及び緩衝部１４０に通される。留め部材１３４が外れるため。第１の端部１３１は肩部１２３のそばを移動できない。ピン１６０を回転させて長穴１４３に揃え、その後で下方に内部１５１を引くことによって、緩衝部１４０の内部１５１を外すことができる。これにより、第１の端部１３１を引き通すことができるより大きな開口部を形成する。
【００３０】
そして、新たな救命索を取り付けることができる。また、緩衝部１４０の内部１５１を新たな交換救命索で交換する。新たな救命索の第１の端部は、留め部材なしに、緩衝部１４０の外部１４１、下部開口部１１２、通路１２２、及び上部穴１０８に通される。さらに、留め部材が新たな救命索の第１の端部に結合されていないため、第１の端部は肩部１２３のそばを移動できる。第１の端部が上部穴を通って延びてハウジングの上部から出た状態で、留め部材がネジ付き端部に結合される。そして、救命索が下方に引かれ、第１の端部が上部穴を通ってドラムの通路の中に移動し、留め部材が肩部１２３に接触する。そして、器具が側面穴１１０を通して位置決めネジ１２５の器具受容部１２６の中に挿入される。そして、器具を回転させてハウジング１０１の受容穴１１７の外に且つドラムの空洞の中に位置決めネジ１２５を移動させ、ドラム１１８を解放することでドラム１１８が回転できるようになる。位置決めネジ１２５は、ドラム１１８の通路の中に延びることで、救命索１３０の第１の端部１３１が上方に移動するのが防止される。留め部材が十分に締まっていない場合、留め部材は、好適には、ドラム１１８の通路の中への位置決めネジ１２５の移動を防止する。そして、新たな救命索をハウジングの中に格納し、ドラムに巻き付けることができる。新たな救命索の交換の際にいつでも、新たな内部１５１を外部１４１に結合することができる。
【００３１】
効果可能な救命索及び予備の救命索部を同じ自己格納型救命索器具として使用し、様々な自己格納型救命索又は他の適切な器具で独立して使用できることが認められる。
【００３２】
上記の明細書、実施例、及びデータが、本発明の実施例の構成要素の製造及び使用の完全な記載を与える。本発明の精神及び範囲から逸脱せずに本発明の多くの実施例を実行することができるため、本発明は以下に添付された特許請求の範囲に属するものである。
【図１】
2013508019.tif 000003
【図２】
2013508019.tif 000004
【図３】
2013508019.tif 000005
【図４】
2013508019.tif 000006
【図５】
2013508019.tif 000007
【図６】
2013508019.tif 000008
【図７】
2013508019.tif 000009
【図８】
2013508019.tif 000010
【図９】
2013508019.tif 000011
【図１０】
2013508019.tif 000012
【図１１】
2013508019.tif 000013
【図１２】
2013508019.tif 000014
【図１３】
2013508019.tif 000015
【図１４】
2013508019.tif 000016
【図１５】
2013508019.tif 000017
【図１６】
2013508019.tif 000018
【図１７】
2013508019.tif 000019
【図１８】
2013508019.tif 000020
【図１９】
2013508019.tif 000021
【図２０】
2013508019.tif 000022
【図２１】
2013508019.tif 000023
【図２２】
2013508019.tif 000024
【図２３】
2013508019.tif 000025
【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
自己格納型救命索であって： 
ハウジングと； 
前記ハウジングに回転可能に動作するよう結合されたドラムと； 
前記ドラムに動作するよう結合された第１の端部、前記ドラムの周りに巻き付け可能な中間部、及び第２の端部を有する救命索と； 
前記ドラムに動作するよう結合され、非固定位置から固定位置に移動可能な固定部材であって、前記非固定位置で前記ドラムに前記第１の端部を動作するよう結合し、前記固定位置で前記ドラムから前記第１の端部を解放し、前記ハウジングに対して前記ドラムを固定させ、前記救命索の交換を補助する固定部材と； 
を具えることを特徴とする自己格納型救命索。 
【請求項２】
前記ハウジングが、受容穴を具えた受容部を有し、 
前記受容穴が、前記固定部材が前記固定位置にあるときに前記固定部材を受容するよう構成且つ配置されていることを特徴とする請求項１に記載の自己格納型救命索。 
【請求項３】
前記ハウジングが、前記固定部材へのアクセスを与える側面開口を有することを特徴とする請求項１に記載の自己格納型救命索。 
【請求項４】
前記ハウジング及び前記ドラムが、前記救命索の交換の際に前記救命索が通される通路を有することを特徴とする請求項１に記載の自己格納型救命索。 
【請求項５】
前記ハウジングが、上部開口及び下部開口を有しており、 
前記ドラムが、通路を有しており、
前記救命索が、前記救命索の交換の間に前記上部及び下部開口並びに前記通路に通されることを特徴とする請求項１に記載の自己格納型救命索。 
【請求項６】
前記固定部材が、位置決めネジであることを特徴とする請求項１に記載の自己格納型救命索。 
【請求項７】
さらに、前記ドラムの通路の中の肩部と； 
前記第１の端部に動作するよう結合されたコネクタであって、前記通路の中に受容され、前記肩部と前記固定部材との間及び前記ドラムと前記ハウジングとの間で挟持されるよう構成且つ配置されたコネクタと； 
を具えており、 
前記固定位置に前記固定部材を移動させることで、前記固定部材が前記コネクタから離れるよう移動して、前記コネクタが前記通路を通って滑動し得ることを特徴とする請求項１に記載の自己格納型救命索。 
【請求項８】
前記ハウジングが、前記救命索の交換の際に前記救命索が通される上部開口及び下部開口を有することを特徴とする請求項７に記載の自己格納型救命索。 
【請求項９】
前記コネクタの少なくとも一部が、前記救命索の交換のために取り外し可能であることを特徴とする請求項７に記載の自己格納型救命索。 
【請求項１０】
自己格納型救命索であって、 
ハウジングと； 
前記ハウジングに回転可能に動作するよう結合されたドラム、及び前記ドラムの通路の中の肩部と； 
前記ドラムに動作するよう結合された第１の端部、前記ドラムの周りに巻き付け可能な中間部、及び第２の端部を有する救命索と； 
前記ドラムに動作するよう結合され、非固定位置から固定位置に移動可能であり、前記ハウジングに対して前記ドラムを固定させ、前記救命索の交換を補助する固定部材と； 
前記第１の端部に動作するよう結合されたコネクタであって、前記通路の中に受容され、前記肩部と前記固定部材との間及び前記ドラムと前記ハウジングとの間で挟持されるよう構成且つ配置されたコネクタと； 
を具えており、 
前記固定位置に前記固定部材を移動させることで、前記固定部材が前記コネクタから離れるよう移動して、前記コネクタが前記通路を通って滑動し得ることを特徴とする自己格納型救命索。 
【請求項１１】
前記ハウジングが、受容穴を具えた受容部を有し、 
前記受容穴が、前記固定部材が前記固定位置にあるときに前記固定部材を受容するよう構成且つ配置されていることを特徴とする請求項１０に記載の自己格納型救命索。 
【請求項１２】
前記ハウジングが、前記固定部材へのアクセスを与える側面開口を有することを特徴とする請求項１０に記載の自己格納型救命索。 
【請求項１３】
前記ハウジング及び前記ドラムが、前記救命索の交換の際に前記救命索が通される通路を有することを特徴とする請求項１０に記載の自己格納型救命索。 
【請求項１４】
前記ハウジングが、上部開口及び下部開口を有しており、 
前記ドラムが、前記救命索の交換の際に前記救命索が通される通路を有することを特徴とする請求項１０に記載の自己格納型救命索。 
【請求項１５】
前記固定部材が、位置決めネジであることを特徴とする請求項１０に記載の自己格納型救命索。 
【請求項１６】
前記ハウジングが、前記救命索の交換の際に前記救命索が通される上部開口及び下部開口を有することを特徴とする請求項１０に記載の自己格納型救命索。 
【請求項１７】
前記コネクタの少なくとも一部が、前記救命索の交換のために取り外し可能であることを特徴とする請求項１０に記載の自己格納型救命索。
【国際調査報告】
2013508019.tif 000026
2013508019.tif 000027